(57)【要約】  少なくとも一つ以上の照明パターンを表示可能な単一の照明用表示装置（１）と、照明パターンから測定対象物（１００）の被測定部位（１００ａ）に対して照明光が照射されたときの被測定部位からの反射光を、画素毎に受光して画像データに変換し出力する二次元の光電変換素子（３）であって、画像データは被測定部位の各画素毎の反射角度特性に依存するパラメータを測定するのに使用される光電変換素子（３）と、を備え、照明用表示装置（１）と光電変換素子（３）とは、光電変換素子（３）が被測定部位（１００ａ）からの略正反射方向の反射光を受光可能である位置関係で配置されている。
2020054381.tif 000002
【特許請求の範囲】
【請求項１】
少なくとも一つ以上の照明パターンを表示可能な単一の照明用表示装置と、
前記照明用表示装置に表示された照明パターンから測定対象物の被測定部位に対して照明光が照射されたときの前記被測定部位からの反射光を、画素毎に受光して画像データに変換し出力する二次元の光電変換素子であって、前記画像データは被測定部位の各画素毎の反射角度特性に依存するパラメータを測定するのに使用される光電変換素子と、
を備え、
前記照明用表示装置と前記光電変換素子とは、前記光電変換素子が前記被測定部位からの略正反射方向の反射光を受光可能である位置関係で配置されている表面特性測定用データの出力装置。
【請求項２】
前記照明用表示装置に表示可能な前記照明パターンは、特定の照明用表示が一方向又は複数方向に移動するパターンであり、前記光電変換素子は、前記特定の照明用表示が移動する毎に反射光を受光して画像データに変換し出力する請求項１に記載の表面特性測定用データの出力装置。
【請求項３】
前記特定の照明用表示は矩形波で示される断面強度分布を有する請求項２に記載の表面特性測定用データの出力装置。
【請求項４】
前記特定の照明用表示は三角波で示される断面強度分布を有する請求項２に記載の表面特性測定用データの出力装置。
【請求項５】
前記特定の照明用表示は正弦波または余弦波、もしくはそれらの一部で示される断面強度分布を有する請求項２に記載の表面特性測定用データの出力装置。
【請求項６】
前記特定の照明用表示の移動は移動前後の表示間に暗線が生じない移動である請求項２〜５のいずれかに記載の表面特性測定用データの出力装置。
【請求項７】
前記照明パターンは、一定周期で変化する波形で示される断面強度分布を有する構造化パターンである請求項１に記載の表面特性測定用データの出力装置。
【請求項８】
一定周期で変化する波形は正弦波もしくは余弦波である請求項７に記載の表面特性測定用データの出力装置。
【請求項９】
前記照明用表示装置は、構造化パターンにおける断面強度分布の位相を複数回異ならせて表示し、前記光電変換素子は、異なる位相での表示毎に反射光を受光して画像データに変換し出力する請求項７または８に記載の表面特性測定用データの出力装置。
【請求項１０】
前記照明用表示装置は、構造化パターンにおける断面強度分布の周波数を複数回異ならせて表示し、前記光電変換素子は、異なる周波数での表示毎に反射光を受光して画像データに変換し出力する請求項７〜９のいずれかに記載の表面特性測定用データの出力装置。
【請求項１１】
前記光電変換素子の空間分解能が１０〜１００μｍである請求項１〜１０のいずれかに記載の表面特性測定用データの出力装置。
【請求項１２】
前記測定対象物の被測定部位は光輝材が含まれた塗装部位であり、前記反射角度特性は前記光輝材の反射角度特性である請求項１〜１１のいずれかに記載の表面特性測定用データの出力装置。
【請求項１３】
反射角度特性に依存するパラメータには、光輝材の輝度、色度、配光特性、粒径、分散凝集に関する情報のうちの少なくとも一つが含まれる請求項１２に記載の表面特性測定用データの出力装置。
【請求項１４】
前記配光特性は、直交する２方向における反射角度特性に基づいて測定される請求項１３に記載の表面特性測定用データの出力装置。
【請求項１５】
前記照明用表示装置は、異なる色で前記照明パターンを個別に表示し、前記光電変換素子は、各色毎の反射光を受光し画像データに変換して出力し、出力された各色毎の画像データに基づいて、被測定部位の色情報もしくは分光情報が測定される請求項１〜１４のいずれかに記載の表面特性測定用データの出力装置。
【請求項１６】
分光透過率の異なる複数のフィルタを備えると共に、前記光電変換素子は各フィルタを介して前記反射光を受光することにより、各フィルタ毎の画像データに変換して出力し、出力された各フィルタ毎の画像データに基づいて、被測定部位の色情報もしくは分光情報が測定される請求項１〜１４のいずれかに記載の表面特性測定用データの出力装置。
【請求項１７】
前記複数のフィルタは、等色関数ｘ（λ）、ｙ（λ）、ｚ（λ）に対応する分光透過率を有している請求項１６に記載の表面特性測定用データの出力装置。
【請求項１８】
請求項１〜１７のいずれかに記載の表面特性測定用データの出力装置と、
前記出力装置から出力された画像データに基づいて、被測定部位の各画素毎の反射角度特性に依存するパラメータを算出する演算部と、
を備えた表面特性測定装置。
【請求項１９】
前記表面特性測定用データの出力装置は１つの筐体内に備えられ、
前記筐体には、前記測定対象物の被測定部位に照明光を照射し、被測定部位からの反射光を取り込むための開口と、前記演算部による算出結果を表示するための結果表示部が備えられている請求項１８に記載の表面特性測定装置。
【請求項２０】
前記演算部は、パーソナルコンピュータにより構成されている請求項１８または１９に記載の表面特性測定装置。
【請求項２１】
前記光電変換素子から出力された画像データはネットワークを介して演算部に送られる請求項１８〜２０のいずれかに記載の表面特性測定装置。
【発明の詳細な説明】
【技術分野】
【０００１】
この発明は、例えば光輝材と呼ばれるフレーク状のアルミニウム片やマイカ片を含む塗装部位等を被測定部位として、その反射角度特性に依存するパラメータを測定するのに用いられる表面特性測定用データの出力装置、及び表面特性測定装置に関する。
【背景技術】
【０００２】
上記のような光輝材が含まれた塗装は、観察角度によって色彩が異なるように見えることから、メタリック塗装あるいはパール塗装等として、意匠性が要求される自動車を始め各種の工業製品等に幅広く使用されている。【０００３】
従来、このようなメタリック塗装あるいはパール塗装の特徴の評価を、色彩以外の質感としてとらえるために、特許文献１には、被測定物を特定方向から照明し又は全方向から拡散照明し、反射光を二次元センサで受光し、反射像を解析することで、自動車塗料内部に含まれる光輝材によって発現される、被測定物の光輝感・粒子感を数値化する手法が提案されている。【０００４】
また、特許文献２には、二次元の明暗縞パターンを被測定物に投影し、その反射像を二次元的に解析することで、表面の傷・ブツ等の欠陥を検査する手法が提案されている。
【先行技術文献】
【特許文献】
【０００５】
【特許文献１】特開２００６−２０８３２７号公報
【特許文献２】特開２００８−２２４３４１号公報
【発明の概要】
【発明が解決しようとする課題】
【０００６】
しかし特許文献１に記載の技術では、各々独立した特定方向の複数の照明、もしくは拡散照明にて被測定部位を照射するため、装置の複雑化が懸念される。【０００７】
しかも、正反射方向での測定がなされていないため、昨今の高意匠の顔料等のように、正反射近傍でのみ高輝度・高彩度などの物性が発現する場合については、その光学的特徴を十分捉えることができず、目視での印象との相関が得られないとか、光輝材の配向分布は塗膜水平方向に集中し、その反射光は正反射近傍へ到達するが、その反射光を捉えることができず、高精度な測定を行うことができない、などの課題がある。【０００８】
この点について更に詳細に説明すると、光輝材が含まれた塗装が施された自動車表面の代表的な層構造は図２１に示すとおり、基材であるベース層２００に光輝材含有層２０１が積層され、更にその上にクリアコート層２０２が積層されている。この層構造の反射特性を測定する光学モデルを考える。ここで、クリアコート層２０２として一般的なアクリル・ウレタン等の樹脂を想定し、光輝材含有層２０１と合わせて、屈折率をｎ≒１．４と規定する。【０００９】
塗膜法線に対し４５度で光線を入射すると、入射光Ｌ１１の一部はクリアコート層２０２の表面にて鏡面反射し、一部はクリアコート層２０２の表面の境界面で屈折して内部へ入る。塗膜内部に入った光の一部は塗膜内部の光輝材２０３にて正反射され、残りは塗膜内部で拡散反射される。【００１０】
塗膜内の光輝材２０３は、一定の傾き(配向)を持った状態で存在する。その配向分布は、一般的に塗膜面水平方向（０度方向）をピークとする分布となり、例えば有限の半値幅を持つガウス分布であらわされる。光輝材２０３の配向に対応した正反射光Ｌ１２が、クリアコート層２０２の表面と空気の境界面で再屈折し、出射される。【００１１】
このとき、光輝材２０３の配向角θ１と、光輝材反射光の空気中での角度θ２（図２１ではＡＳ角と記している）とは、図２２のグラフに示す関係にある。特許文献１に記載の技術では|θ２|≧１５度にしかセンサが存在しないため、図２２のグラフから光輝材２０３の配向角に換算すると|θ１|≧５度となり、光輝材２０３の配向分布は０度方向に集中するのに対し、正反射近傍の情報がとらえられないといった課題がある。【００１２】
なお特許文献２に記載の技術は、被測定物の表面の傷・ブツ等の欠陥を検査する技術であって、被測定物の光輝感・粒子感を評価する技術ではないため、上述した特許文献１の課題を解決することはできない。【００１３】
この発明は、このような技術的背景に鑑みてなされたものであって、装置の複雑化を生じることがなく、しかも、例えば配向分布が塗膜水平方向に集中している光輝材が分散された塗装面等の被測定部位に対して、反射角度特性に依存するパラメータの精度の高い測定を可能とするためのデータを出力できる表面特性測定用データの出力装置、及び表面特性測定装置を提供することを目的とする。
【課題を解決するための手段】
【００１４】
上記目的は、以下の手段によって達成される。
（１）少なくとも一つ以上の照明パターンを表示可能な単一の照明用表示装置と、前記照明用表示装置に表示された照明パターンから測定対象物の被測定部位に対して照明光が照射されたときの前記被測定部位からの反射光を、画素毎に受光して画像データに変換し出力する二次元の光電変換素子であって、前記画像データは被測定部位の各画素毎の反射角度特性に依存するパラメータを測定するのに使用される光電変換素子と、を備え、前記照明用表示装置と前記光電変換素子とは、前記光電変換素子が前記被測定部位からの略正反射方向の反射光を受光可能である位置関係で配置されている表面特性測定用データの出力装置。
（２）前記照明用表示装置に表示可能な前記照明パターンは、特定の照明用表示が一方向又は複数方向に移動するパターンであり、前記光電変換素子は、前記特定の照明用表示が移動する毎に反射光を受光して画像データに変換し出力する前項１に記載の表面特性測定用データの出力装置。
（３）前記特定の照明用表示は矩形波で示される断面強度分布を有する前項２に記載の表面特性測定用データの出力装置。
（４）前記特定の照明用表示は三角波で示される断面強度分布を有する前項２に記載の表面特性測定用データの出力装置。
（５）前記特定の照明用表示は正弦波または余弦波、もしくはそれらの一部で示される断面強度分布を有する前項２に記載の表面特性測定用データの出力装置。
（６）前記特定の照明用表示の移動は移動前後の表示間に暗線が生じない移動である前項２〜５のいずれかに記載の表面特性測定用データの出力装置。
（７）前記照明パターンは、一定周期で変化する波形で示される断面強度分布を有する構造化パターンである前項１に記載の表面特性測定用データの出力装置。
（８）一定周期で変化する波形は正弦波もしくは余弦波である前項７に記載の表面特性測定用データの出力装置。
（９）前記照明用表示装置は、構造化パターンにおける断面強度分布の位相を複数回異ならせて表示し、前記光電変換素子は、異なる位相での表示毎に反射光を受光して画像データに変換し出力する前項７または８に記載の表面特性測定用データの出力装置。
（１０）前記照明用表示装置は、構造化パターンにおける断面強度分布の周波数を複数回異ならせて表示し、前記光電変換素子は、異なる周波数での表示毎に反射光を受光して画像データに変換し出力する前項７〜９のいずれかに記載の表面特性測定用データの出力装置。
（１１）前記光電変換素子の空間分解能が１０〜１００μｍである前項１〜１０のいずれかに記載の表面特性測定用データの出力装置。
（１２）前記測定対象物の被測定部位は光輝材が含まれた塗装部位であり、前記反射角度特性は前記光輝材の反射角度特性である前項１〜１１のいずれかに記載の表面特性測定用データの出力装置。
（１３）反射角度特性に依存するパラメータには、光輝材の輝度、色度、配光特性、粒径、分散凝集に関する情報のうちの少なくとも一つが含まれる前項１２に記載の表面特性測定用データの出力装置。
（１４）前記配光特性は、直交する２方向における反射角度特性に基づいて測定される前項１３に記載の表面特性測定用データの出力装置。
（１５）前記照明用表示装置は、異なる色で前記照明パターンを個別に表示し、前記光電変換素子は、各色毎の反射光を受光し画像データに変換して出力し、出力された各色毎の画像データに基づいて、被測定部位の色情報もしくは分光情報が測定される前項１〜１４のいずれかに記載の表面特性測定用データの出力装置。
（１６）分光透過率の異なる複数のフィルタを備えると共に、前記光電変換素子は各フィルタを介して前記反射光を受光することにより、各フィルタ毎の画像データに変換して出力し、出力された各フィルタ毎の画像データに基づいて、被測定部位の色情報もしくは分光情報が測定される前項１〜１４のいずれかに記載の表面特性測定用データの出力装置。
（１７）前記複数のフィルタは、等色関数ｘ（λ）、ｙ（λ）、ｚ（λ）に対応する分光透過率を有している前項１６に記載の表面特性測定用データの出力装置。
（１８）前項１〜１７のいずれかに記載の表面特性測定用データの出力装置と、前記出力装置から出力された画像データに基づいて、被測定部位の各画素毎の反射角度特性に依存するパラメータを算出する演算部と、を備えた表面特性測定装置。
（１９）前記表面特性測定用データの出力装置は１つの筐体内に備えられ、前記筐体には、前記測定対象物の被測定部位に照明光を照射し、被測定部位からの反射光を取り込むための開口と、前記演算部による算出結果を表示するための結果表示部が備えられている前項１８に記載の表面特性測定装置。
（２０）前記演算部は、パーソナルコンピュータにより構成されている前項１８または１９に記載の表面特性測定装置。
（２１）前記光電変換素子から出力された画像データはネットワークを介して演算部に送られる前項１８〜２０のいずれかに記載の表面特性測定装置。
【発明の効果】
【００１５】
前項（１）に記載の発明によれば、少なくとも一つ以上の照明パターンを表示可能な単一の照明用表示装置と、照明パターンから測定対象物の被測定部位に対して照明光が照射されたときの被測定部位からの反射光を、画素毎に受光して画像データに変換し出力する二次元の光電変換素子と、を備え、照明用表示装置と光電変換素子とは、光電変換素子が被測定部位からの略正反射方向の反射光を受光可能である位置関係で配置されているから、光電変換素子から出力された画像データには、正反射近傍の画像データが含まれることになる。このため、光電変換素子から出力された画像データを使用して、正反射近傍での反射角度特性を含む被測定部位の全体について、反射角度特性に依存するパラメータを測定することができる。その結果、例えば配向分布が塗膜水平方向に集中している光輝材が分散された塗装面等の被測定部位に対して、各画素毎の反射角度特性に依存するパラメータの精度の高い測定が可能となり、目視相関の高い測定結果を得ることができる。しかも、単一の照明用表示装置を使用するから、装置全体の構成の複雑化を抑制できる。【００１６】
前項（２）に記載の発明によれば、照明用表示装置に表示可能な照明パターンは、特定の照明用表示が一方向又は複数方向に移動するパターンであり、光電変換素子は、特定の照明用表示が移動する毎に反射光を受光して画像データに変換し出力することで、反射角度特性に依存するパラメータの測定を精度良く行うための画像データを出力できる。【００１７】
前項（３）〜（５）に記載の発明によれば、照明用表示の断面強度分布を矩形波や三角波や正弦波または余弦波もしくはそれらの一部で示されるものに設定することにより、反射角度特性に依存するパラメータの測定を精度良く行うための画像データを出力できる。【００１８】
前項（６）に記載の発明によれば、特定の照明用表示の移動は移動前後の表示間に暗線が生じない移動であるから、連続的な画像データを得ることができ、被測定部位の各画素固有の連続した反射角度特性を一意に決定でき、反射角度特性に依存するパラメータをより精度良く測定するための画像データを出力できる。【００１９】
前項（７）に記載の発明によれば、照明パターンは、一定周期で変化する波形で示される断面強度分布を有する構造化パターンであるから、反射角度特性に依存するパラメータの測定を精度良く行うための画像データを出力できる。【００２０】
前項（８）に記載の発明によれば、一定周期で変化する波形は正弦波もしくは余弦波であるから、反射角度特性に依存するパラメータの測定を精度良く行うための画像データを出力できる。【００２１】
前項（９）に記載の発明によれば、照明用表示装置は、構造化パターンにおける断面強度分布の位相を複数回異ならせて表示し、光電変換素子は、異なる位相での表示毎に反射光を受光して画像データに変換し出力するから、被測定部位の各画素固有の反射角度特性を一意に決定でき、反射角度特性に依存するパラメータをより詳細に精度良く測定するための画像データを出力できる。【００２２】
前項（１０）に記載の発明によれば、照明用表示装置は、構造化パターンにおける断面強度分布の周波数を複数回異ならせて表示し、光電変換素子は、異なる周波数での表示毎に反射光を受光して画像データに変換し出力するから、被測定部位の各画素固有の反射角度特性を一意に決定でき、反射角度特性に依存するパラメータをより精度良く測定するための画像データを出力できる。【００２３】
前項（１１）に記載の発明によれば、光電変換素子の空間分解能が１０〜１００μｍであるから、人の目に適した現実的な反射角度特性の測定が可能となる。【００２４】
前項（１２）に記載の発明によれば、塗装部位に含まれる光輝材の反射角度特性に依存するパラメータを測定するための画像データを出力することができる。【００２５】
前項（１３）に記載の発明によれば、光輝材の輝度、色度、配光特性、粒径、分散凝集に関する情報のうちの少なくとも一つを測定するための画像データを出力できる。【００２６】
前項（１４）に記載の発明によれば、直交する２方向における反射角度特性に基づいて配光特性を測定することができる。【００２７】
前項（１５）に記載の発明によれば、照明用表示装置は、異なる色で照明パターンを個別に表示し、被測定部位に照射することで、各色毎の被測定部位の色情報もしくは分光情報を測定することができる。【００２８】
前項（１６）に記載の発明によれば、光電変換素子が、分光透過率の異なる各フィルタを介して反射光を受光することにより、各フィルタ毎に被測定部位の色情報もしくは分光情報を測定することができる。【００２９】
前項（１７）に記載の発明によれば、等色関数ｘ（λ）、ｙ（λ）、ｚ（λ）に対応する分光透過率のフィルタを用いることで、人間の目の感度に近い情報を算出することができる。【００３０】
前項（１８）に記載の発明によれば、出力装置の光電変換素子から出力された画像データを使用して、演算部が被測定部位の各画素毎の反射角度特性に依存するパラメータを算出するから、例えば配向分布が塗膜水平方向に集中している光輝材が分散された塗装面等の被測定部位に対して、反射角度特性に依存するパラメータの測定を高精度に行うことができる表面特性測定装置となる。【００３１】
前項（１９）に記載の発明によれば、筐体を持ち運ぶことにより、場所を問わず反射角度特性に依存するパラメータを測定できる。【００３２】
前項（２０）に記載の発明によれば、パーソナルコンピュータにより反射角度特性に依存するパラメータを算出できる。【００３３】
前項（２１）に記載の発明によれば、光電変換素子から出力された画像データはネットワークを介して演算部に送られるから、演算部が測定場所と離れていても反射角度特性に依存するパラメータの測定を行うことができる。
【図面の簡単な説明】
【００３４】
【図１】この発明の一実施形態に係る表面特性測定用データの出力装置を備えた表面特性測定装置の構成を示すブロック図である。
【図２】（Ａ）（Ｂ）は、照明用表示装置に表示された、矩形波形状の断面強度分布を有する照明用表示が移動する様子を示す図である。
【図３】（Ａ）は光輝材の配向が塗膜面水平方向に揃っている状態を、（Ｂ）は光輝材の配向が０度から離れている状態を、それぞれ模式的に示す図である。
【図４】（Ａ）〜（Ｄ）は、照明用表示を一方向に移動（走査）させたときの光輝材からの反射の様子を模式的に示す図である。
【図５】（Ａ）は小さい粒径の光輝材が多数存在している状態を、（Ｂ）は大きな粒径の光輝材が存在している状態を、それぞれ模式的に示す図である。
【図６】（Ａ）は光輝材が分散している状態を、（Ｂ）は凝集している状態をそれぞれ模式的に示す図である。
【図７】（Ａ）は、照明用表示装置に表示された、矩形波で示される断面強度分布を有する照明用表示が移動する様子を示す図、（Ｂ）は（Ａ）の移動方向と直交する方向に、照明用表示が移動する様子を示す図である。
【図８】（Ａ）は、走査方向Ａに平行な面内における光輝材の配向角度を測定可能であることを、（Ｂ）は、走査方向Ａと直交する走査方向Ｂに平行な面内における光輝材の配向角度を測定可能であることを、それぞれ説明するための図である。
【図９】（Ａ）〜（Ｄ）は、照明用表示を一方向に移動（走査）させたときの測定対象物の表面からの反射の様子を模式的に示した図である。
【図１０】照明用表示の断面強度分布の他の例を示す図である。
【図１１】照明用表示の断面強度分布のさらに他の例を示す図である。
【図１２】照明用表示の断面強度分布のさらに他の例を示す図である。
【図１３】（Ａ）は基本となる照明パターンを示し、（Ｂ）〜（Ｄ）は（Ａ）の照明パターンの断面強度分布の位相をπ／２ずつずらした状態を示す図である。
【図１４】測定対象物が光輝材を含まない完全な平滑面である場合の、光電変換素子による撮像状態を説明するための図である。
【図１５】測定対象物が配光分布を有する光輝材を含む場合の、光電変換素子による撮像状態を説明するための図である。
【図１６】（Ａ）〜（Ｃ）は、図１３（Ａ）の基本となる照明パターンの断面強度分布の周波数を変更して、測定対象物を照明する場合の説明図である。
【図１７】受光側に色情報・分光情報を測定するためのフィルタ部を追加した光学特性測定装置の構成を示す図である。
【図１８】フィルタ部の一例を模式的に示す図である。
【図１９】（Ａ）（Ｂ）はフィルタ部の他の例を模式的に示す図である。
【図２０】この発明の他の実施形態に係る光学特性測定装置の斜視図である。
【図２１】従来技術の課題を説明するための図である。
【図２２】同じく、従来技術の課題を説明するための図である。
【発明を実施するための形態】
【００３５】
以下、この発明の実施形態を図面に基づいて説明する。
【００３６】
図１は、この発明の一実施形態に係る表面特性測定用データの出力装置を備えた表面特性測定装置の構成を示すブロック図である。
【００３７】
図１に示す表面特性測定装置は、単一の照明用表示装置１と、対物レンズ２と、ＣＣＤセンサ等からなる二次元の光電変換素子３と、演算部４と、液晶表示装置等によって構成される測定結果表示部５を備えており、照明用表示装置１と、対物レンズ２と、光電変換素子３によって、表面特性測定用データの出力装置が構成されている。
【００３８】
照明用表示装置１は少なくとも１個の照明パターンを表示するとともに、表示した照明パターンから測定対象物（単に試料ともいう）１００の被測定部位１００ａに対して照明光Ｌ１を照射する。
【００３９】
光電変換素子３は多数の画素を備え、試料１００からの反射光Ｌ２を対物レンズ２を介して画素毎に受光し、画像データに変換して出力する。
【００４０】
この実施形態では、照明用表示装置１と光電変換素子３とは、光電変換素子３が被測定部位１００ａからの略正反射方向の反射光を受光可能である位置関係で配置されている。略正反射方向とは、正反射方向の反射光のみならず正反射方向から僅かに外れている反射光も許容する主旨である。このような配置関係にする理由は、被測定部位１００ａに水平方向（０度）方向の成分が多数存在しているために正反射近傍でのみ高輝度・高彩度などの物性が発現する場合にも的確に対応し、目視相関の高い測定結果を得るためである。
【００４１】
例えば、試料１００に光輝材が含まれた塗装が施されているような場合、塗膜内の光輝材の配向分布は、一般的に塗膜面水平方向（０度方向）をピークとする分布となっており、このような光輝材の正反射近傍の情報を的確にとらえるためである。
【００４２】
また、試料１００における被測定部位１００ａの表面（試料面）と光電変換素子３が共役関係にあることが望ましい。
【００４３】
光電変換素子３から出力された電気信号である画像データは、必要に応じ、図示しないＩＶ変換回路、ＡＤ変換回路を通じてデジタル信号に変換され、演算部４に送られる。演算部４は、送られてきた画像データを用いてＣＰＵ等により反射角度特性に依存するパラメータの算出処理を行い、測定結果表示部５は演算部４による算出結果つまり測定結果を表示する。なお、光電変換素子３から出力された画像データのデジタル信号への変換は、演算部４で行われても良い。
【００４４】
演算部４は専用の装置であっても良いし、パーソナルコンピュータにより構成されていても良い。また、光電変換素子３から出力されデジタル信号に加工された画像データは、ネットワークを介して演算部４に送られても良い。この場合は、演算部４が測定場所と離れた場所に存在していても、反射角度特性に依存するパラメータの測定を行うことができる。
【００４５】
次に、光電変換素子３の空間分解能について説明する。目視で観察される現象を光電変換素子３で検知するためには、光電変換素子３に人間の眼に相当する空間分解能が必要になる。ある研究によると、人間の眼で区別可能な最小幅は、約０．６分といわれている。仮に瞳から観察物までの距離を２０〜３０ｃｍとすると、区別可能な２点の距離は３０〜５０μｍと計算される。
【００４６】
また、測定対象を自動車外装材の光輝材を含む塗装面とすると、塗膜内部に含まれる光輝材の粒径は、小さなもので１０〜２０μｍ、大きなもので凡そ１００μｍ程度である。光電変換素子３は光輝材１つ１つを空間的に区別できることがより望ましい。
【００４７】
以上から、光電変換素子３の空間分解能は１０〜１００μｍ程度であることが望ましい。
（実施形態１）
次に、具体的な反射角度特性に依存するパラメータの測定について説明する。
【００４８】
反射角度特性とは、被測定部位１００ａが照明光Ｌ１をどのような反射角度で反射させるかという特性であり、光電変換素子３の画素に対応して画素毎に評価される。この実施形態では、反射角度特性に依存するパラメータが光輝材の配光に関する情報（例えば配光角度）である場合について説明する。
【００４９】
照明用表示装置１は１つ以上の照明パターンを表示する。照明パターンの一例として、特定の照明用表示が一方向又は複数方向に移動するパターンを挙げることができる。この実施形態１では、特定の照明用表示は輝度に関して矩形波で示される断面強度分布を有しており、この照明用表示を移動させて試料１００の被測定部位１００ａに照明光Ｌ１を照射し、光電変換素子３は照明用表示が移動する毎に被測定部位１００ａからの反射光Ｌ２を受光して画像データに変換する場合を示す。
【００５０】
図２は照明用表示装置１に表示された、矩形波で示される断面強度分布を有する照明用表示１１が移動する様子を示し、上側の（Ａ）図は照明用表示装置１の表示面の輝度分布であり、下側の（Ｂ）図はその断面強度分布である。（Ａ）図において、白部分が照明用表示１１であって矩形の明線からなり、黒部分は非発光領域である暗線であり、明線である照明用表示１１がＡ１→Ａ２→Ａ３→・・・→Ａｎへと、照明用表示装置１の表示面の幅方向（（Ａ）図の左右方向）に順に移動（走査）する。移動は、移動前後の照明用表示１１間に暗線が生じないように行われるのが、被測定部位１００ａの全体に亘って適正な画像データが得られ、ひいては光電変換素子３の各画素毎の連続した反射角度特性を一意に決定でき、反射角度特性に依存するパラメータの測定を高精度に行える点で望ましい。この実施形態においても、移動前後の照明用表示１１間に暗線が生じないように、照明用表示１１を移動させるものとする。なお、移動前の照明用表示１１の先端側と移動後の照明用表示１１の後端側とが重なっていても良い。
【００５１】
照明用表示１１の移動毎に、被測定部位１００ａからの反射光Ｌ２を光電変換素子３で受光する。試料面と光電変換素子３とが共役となるように対物レンズ２が設計されており、試料面の二次元の輝度分布や色度分布を測定する。
【００５２】
試料面での解像度は十分高いものを選択し、自動車外装材のように表面塗膜に各光輝材が含まれている試料１００、あるいは微小凹凸のある試料１００では、各テクスチャ構造、が捉えられるほどの空間分解能があると仮定する。
【００５３】
この実施形態では、試料１００として、表面に光輝材を含む塗装が施されたものを例に挙げて説明する。塗膜内の光輝材は、一定の傾き(配向)を持った状態で存在する。その配向分布は、一般的に塗膜面水平方向(０度)をピークとし、角度の増加に伴い光輝材数が減少する分布をとり、例えばガウス分布などで表現される。
【００５４】
配向の状態は、光輝材や塗料の種類など設計的な要因もあれば、塗料の吹付速度、圧力、膜厚など塗装条件にも依存すると言われている。一般的に、図３（Ａ）に示すように、光輝材１１０の配向が塗膜面水平方向(０度)に揃っている場合は配向が良いといわれ、逆に同図（Ｂ）に示すように、光輝材１１０の配向が０度から離れている場合は、配向が悪いといわれる。この配向の良し悪しを定量化する方法として、本実施形態による手法を活用できる。
【００５５】
具体的には、実施形態１では、照明用表示装置１において、矩形の明線からなる照明用表示１１を表示面の幅方向に順に移動（走査）することで、試料１００の被測定部位１００ａに対する照明光Ｌ１の照明角度が順次変化することになるが、受光側である光電変換素子３の角度は固定である。光輝材１１０の面法線に対し、照明角度と受光角度が等しくなった場合、光電変換素子３は鏡面反射光を受光し、得られる輝度が最大となる。
【００５６】
一方で鏡面反射の関係から外れるほど反射輝度は低下するため、照明パターンを走査すると、ある特定パターン(＝特定照明角)でピークをもつ分布となる。
【００５７】
この様子を図４（Ａ）〜（Ｄ）に示す。これらの図は照明用表示を表示面の幅方向に移動（走査）させたときの光輝材１１０からの反射の様子を模式的に示したものである。また、下側の各図は、注目光輝材１１１を+印と+印で挟んだ状態で示している。
【００５８】
同図（Ａ）では、照明用表示１１は移動しておらず、この状態では、注目光輝材１１１に示すように左下がり傾斜の光輝材の輝度が最大となる。同図（Ｂ）では、照明用表示が右方に移動しており、この状態では、注目光輝材１１１に示すように略水平配置の光輝材の輝度が最大となる。同図（Ｃ）では、照明用表示１１がさらに右方に移動しており、この状態では、注目光輝材１１１に示すように右下がり傾斜の光輝材の輝度が最大となる。同図（Ｄ）では、照明用表示１１がさらに右方に移動しており、この状態では、注目光輝材１１１に示すようにさらに右下がり傾斜の光輝材の輝度が最大となる。
【００５９】
このように、輝度が最大となる角度は画素毎に異なり、光輝材１１０の反射角度ひいては配向角度に依存する。換言すれば、輝度のピーク位置から各光輝材の配向角度を推定することが可能である。
【００６０】
こうして、照明用表示１１を一方向に順に移動（走査）することで、走査方向を含む平面内における光輝材１１０の配向角度を算出可能となり、配光角度を測定できることになる。
【００６１】
本実施形態で算出（測定）することのできる反射角度特性に依存するパラメータは、配向角度に限定されることはない。二次元の空間輝度分布を解析することで、含有する光輝材１１０の粒径の大小も定量化可能となる。またその解析結果から、光輝材１１０の粒度分布・平均粒径などを算出することも可能である。
【００６２】
図５（Ａ）に、小さい粒径の光輝材１１０が多数存在している場合を、同図（Ｂ）に、大きな粒径の光輝材１１０が存在している場合をそれぞれ示す。光輝材１１０の粒径は、二次元の空間輝度分布の解析により、光輝材１１０の配光角度と水平方向の長さが分かることから、算出することができる。
【００６３】
他にも、同様に二次元の空間輝度分布を解析することで、場所ごとの光輝材のムラの有無（均一に分散しているか、凝集している箇所があるか）も定量化可能となる。図６（Ａ）に光輝材１１０が分散している状態を、同図（Ｂ）に凝集している状態をそれぞれ示す。
【００６４】
このようにして反射角度特性を解析評価することで、反射角度特性に依存するパラメータとして、光輝材１１０の輝度・色度、配向、粒径、分散凝集などのうちの少なくとも一つに代表される、塗料物性に関する多くの情報を測定することができる。
【００６５】
また、この実施形態では、単一の照明用表示装置１を使用するから、複数の照明用表示装置を使用する場合に較べて、表面特性測定装置全体の構成の複雑化を抑制できる。
（実施形態２）
この実施形態では、照明用表示を図７（Ａ）に示すように、照明用表示装置１の表示面の幅方向（同図の左右方向で走査方向Ａとする）と、同図（Ｂ）に示すように、幅方向と直交する方向（同図の上下方向で走査方向Ｂとする）の２方向に走査している。これにより、直交する２方向での光輝材１１０の反射角度特性を評価でき、ひいては直交する２方向での光輝材１１０の配向角度を測定することが可能となる。具体的には以下のとおりである。
【００６６】
即ち、照明用表示装置１に、照明用表示１１を同図（Ａ）のように、Ａ１→Ａ２→Ａ３→ …→Ａｎと走査して表示したのち、同図（Ｂ）のように、Ｂ１→Ｂ２→Ｂ３→ …→Ｂｎと走査して表示する。
【００６７】
Ａ１→Ａ２→Ａ３→ …→Ａｎの走査では、図８（Ａ）に示すように、走査方向（方向Ａ）に平行な面内における光輝材１１０の配向角度を測定可能である。一方、Ｂ１→Ｂ２→Ｂ３→ …→Ｂｎの走査では、図８（Ｂ）に示すように、走査方向（方向Ｂ、方向Ａと直交）に平行な面内における光輝材１１０の配向角度を測定可能である。
【００６８】
したがって、Ａ１→Ａ２→Ａ３→ …→Ａｎ、Ｂ１→Ｂ２→Ｂ３→ …→Ｂｎと順に走査することで、各光輝材１１０について直交する２方向の配向角度が求められるため、両者の値から、二次元の任意の方向への配向角度（もしくは面法線ベクトル）を推定算出すること、つまり配向角度を測定することが可能となる。
（実施形態３）
実施形態１及び２では、表面に光輝材１１０を含む塗装が施された試料１００を例示した。しかし、アルマイト処理などの処理を加えた場合、表面には、微小な凹凸や勾配が数μｍ〜数十μｍオーダーのミクロ領域にて存在する。その微小構造によって、特定方向から照明・観察すると表面の一部がキラキラと光って見えたり、また別の方向から照明・観察すると他の部分が光ったりなど、高い意匠性を発現させる原動力となっている。
【００６９】
従って、光輝材は存在していなくても、アルマイト処理されたもののように、表面に微小な凹凸や勾配を有する試料１００に対しても、実施例１及び２と同様に反射角度特性に依存する勾配角度等のパラメータの測定が可能となる。
【００７０】
この様子を図９（Ａ）〜（Ｄ）に示す。これらの図は照明用表示１１を照明用表示装置１の表示面の幅方向に移動（走査）させたときの試料１００の表面からの反射の様子を模式的に示したものである。また、下側の各図は、表面の注目部位１０１を+印と+印で挟んだ状態で示している。
【００７１】
同図（Ａ）では、照明用表示１１は移動しておらず、この状態では、注目部位１０１に示すように左下がり傾斜の表面部位の輝度が最大となる。同図（Ｂ）では、照明用表示１１が右方に移動しており、この状態では、注目部位１０１に示すように略水平配置の表面部位の輝度が最大となる。同図（Ｃ）では、照明用表示１１がさらに右方に移動しており、この状態では、注目部位１０１に示すように右下がり傾斜の表面部位の輝度が最大となる。同図（Ｄ）では、照明用表示１１がさらに右方に移動しており、この状態では、注目部位１０１に示すようにさらに右下がり傾斜の表面部位の輝度が最大となる。
【００７２】
このように、輝度が最大となる角度は画素毎に異なり、試料１００における被測定部位１００ａの表面の反射角度ひいては勾配角に依存する。換言すれば、輝度のピーク位置から各表面部位の勾配角度を推定算出すること、つまり勾配角度を測定することが可能となる。
（実施形態４）
実施形態１〜３では、照明用表示１１として、矩形波で示される断面強度分布を有するものを示したが、断面強度分布は矩形波で示されるものに限られない。例えば、図１０に示すような三角波で示される断面強度分布を有する照明用表示を順に移動させても良く、図１１に示すような台形で示される断面強度分布を有する照明用表示を順に移動させても良く、あるいは図１２に示すようなガウス分布で示される断面強度分布を有する照明用表示を順に移動させても良い。あるいはさらに、正弦波や余弦波、もしくはこれらの一部で示される断面強度分布を有する照明用表示を順に移動させても良い。
【００７３】
いずれの場合も、移動前後の照明用表示１１間に暗線が生じないように移動させるのが良い。
【００７４】
また、断面強度分布を変更した複数パターンの照明用表示１１を移動させて、光電変換素子３からそれぞれの画像データを取得し、これらの画像データを用いることで、応用性に富んだパラメータの測定結果を得ることも可能である。
（実施形態５）
この実施形態は、照明パターンとして、一定周期で変化する波形で示される断面強度分布を有する構造化パターンを表示して、測定対象物１００の被測定部位１００ａを照明するものである。
【００７５】
一般的に、照明用表示装置１の表示面上の互いに離れた複数点から照明した場合、各画素の反射角特性を一意に決定することができない。しかし、正弦波や余弦波のように、一定周期で変化する波形で示される断面強度分布を有する構造化パターンにおいて、断面強度分布の位相を変化させた複数パターンで表示したときの光電変換素子３から出力された画像データに対し、演算部４により特定の演算処理を加えることで、各画素毎の反射角度特性に依存するパラメータの測定が可能となることを、発明者らは見出した。なお、試料１００は表面に光輝材を有するものであっても、光輝材を有しないが、アルマイト皮膜のような表面に微小な凹凸や勾配を有するものであっても良い。
１）測定手順
基本となる照明パターン（以下、基本パターンという）は、図１３（Ａ）に示すように、１周期分の余弦波で示される断面強度分布を有している。なお１周期分の正弦波で示される断面強度分布を有する照明パターンであっても良い。同図（Ｂ）〜（Ｄ）は、同図（Ａ）の基本パターンの断面強度分布の位相をπ／２ずつずらした状態を示す。
【００７６】
図１３（Ａ）〜（Ｄ）の上側の図は照明用表示装置１の表示面の輝度分布(白い部分ほど高輝度、黒い部分ほど低輝度)であり、下側の図はその断面強度分布である。
【００７７】
照明用表示装置１に基本パターンを表示し、試料１００の被測定部位１０１ａを照明する場合、試料１００の表面もほぼ基本パターン(余弦波)通りの空間強度分布とみなせる。すなわち試料面の座標（ｘ，ｙ）における空間強度分布は、以下の式であらわされる。
【００７８】
【数１】
2020054381.tif 000003
【００７９】
基本パターンに対し、位相を(n/N)*2π (n=0,1,2,…,N-1) だけずらした空間強度分布は以下の式であらわされる。
【００８０】
【数２】
2020054381.tif 000004
【００８１】
試料１００の被測定部位１００ａにおける表面の空間強度分布が当該分布(n=0,1,2,…,N-1)となるよう、照明用表示装置１によって試料１００を順次照明し、その正反射像を光電変換素子３で測定する。
２）強度分布から位相分布の算出
Nに具体的な数値を与えて考える。
例１）N=3 (n=0,1,2)の場合
以下の空間強度分布となるパターンにて試料１００の被測定部位１００ａを順次照明する。これは、２π／３ずつ位相をずらした３枚の余弦波に相当する。
【００８２】
【数３】
2020054381.tif 000005
【００８３】
光電変換素子３側の反射強度分布（試料表面の空間強度分布と同じ）I(x,y,0)、I(x,y,1)、I(x,y,2)を測定する。
【００８４】
未知数はa(x,y)、b(x,y)、θ(x,y)の３個であり、式も３個のため、厳密解が一意に決まる。
【００８５】
位相分布θ(x,y)に関しては、以下の式にて算出可能となる。
【００８６】
【数４】
2020054381.tif 000006
【００８７】
例２）N=4 (n=0,1,2,3)の場合
以下の空間強度分布となるパターンにて試料を順次照明する。これは、図１３（Ａ）〜（Ｄ）に示したようなπ／２ずつ位相をずらした４枚の余弦波に相当する。
【００８８】
【数５】
2020054381.tif 000007
【００８９】
それぞれの反射強度分布I(x,y,0)、I(x,y,1)、I(x,y,2)、I(x,y,3)を測定する。
【００９０】
N=4の場合の利点として、位相分布θ(x,y)が以下に示す簡潔な式で算出可能となる。
【００９１】
【数６】
2020054381.tif 000008
【００９２】
３）位相分布から配向分布の算出
試料１００が光輝材を含まない完全な平滑面である場合、図１４に示すように、光電変換素子３上では、照明用表示装置１が投影した基準の反射強度分布が撮像される。
【００９３】
一方、試料１００が配向分布を有する光輝材１１０を含む、あるいは試料表面に微小勾配・凹凸がある場合、図１５に示すように、反射光Ｌ２の正反射方向が点線から実線へと変化するため、基準分布の同一輝度にあたる座標が平滑面に比べてシフトする。すなわち、位相がシフトすることを意味する。
【００９４】
そのシフト量は、光輝材１１０や表面の反射角度特性、ひいては光輝材１１０の配向角度あるいは表面の勾配角度に依存する。すなわち、位相シフト量から光輝材１１０の配向角度あるいは表面の勾配角度を一意に求めること、つまり測定することが可能である。
【００９５】
なお、振幅a(x,y)及び背景輝度b(x,y)が既知の場合は、基本パターンのみの１回の照射から、位相分布θ(x,y)を特定することができ、光輝材１１０の配向角度あるいは表面の勾配角度を求めることができる。
（実施形態６）
本実施形態では、周波数をシフトさせた照明パターンを照明した場合について説明する。基本パターンは、前述の実施形態５と同様に、１周期分の余弦波で示される断面強度分布を有している。
【００９６】
実施形態６と同様の手法を用いて、輝度分布（断面強度分布）から位相分布を算出することで、反射角度特性に依存する光輝材１１０の配向角度（配光分布）や表面の勾配角度（勾配分布）を求めることが可能である。
【００９７】
但し、図１６（Ａ）に断面強度分布を示すように、１周期では特に余弦波のピークの山谷付近で縦軸の変化が小さく、場合によっては位相分布の信号成分がノイズに埋もれてしまうことが懸念される。
【００９８】
そこで、図１６（Ｂ）に示すように２周期、あるいは同図（Ｃ）の３周期などN周期（N≧2）の余弦波で示される断面強度分布の構造パターンも順次照明することで、N＝１の場合よりも特に山谷付近の輝度変化を上げることができ、結果的に縦軸の分解能を上げることが可能となる。したがって位相分布(配向分布や勾配分布)をより高精度で求めることが可能となる。
（実施形態７）
特にパール顔料では、観察角度に応じて色が変化するため、色測定、分光測定などの波長分解測定を行うことは非常に有意である。したがって、反射角度特性に依存するパラメータとして、被測定部位１００ａの色情報もしくは分光情報を測定する機構を追加しても良い。
【００９９】
そこでこの実施形態では、照明側に色情報・分光情報を測定するための機構を追加する場合について説明する。
【０１００】
照明用表示装置１に液晶やOLED（Organic Light Emitting Diode：有機エレクトロルミネッセンス）のディスプレイ等を用いることで、赤色、緑色、青色（以下、これらをRGBという）の単色表示が可能である。
【０１０１】
同一の照明パターンにて照明する際に、RGBを時分割で個別に表示し、表示タイミングと同期させて光電変換素子３が各色毎の反射光を受光し、画像データを出力することで、色情報・分光情報の算出・測定が可能となる。
（実施形態８）
実施形態７では、照明側に色情報・分光情報を測定するための機構を追加した場合を説明したが、本実施形態では、受光側に色測定機構を追加する場合を説明する。
【０１０２】
即ち、図１７に示すように、光電変換素子３の前面に二次元色フィルタ部６を設ける。なお、図１７において、二次元フィルタ部６以外の構成は図１に示した装置の構成と同じである。二次元色フィルタ部６の一例として、図１８に示すように、光電変換素子３の画素３１に対応する、分光透過率が互いに異なる複数のフィルタ６１〜６３を有するものを挙げることができる。このようなフィルタ部６を用いることで、光電変換素子３は、各フィルタ６１〜６３の分光透過率に応じた色の反射光を受光し、画像データを出力するから、この出力された画像データを用いて色情報・分光情報の算出・測定が可能となる。
【０１０３】
フィルタ配列はベイヤー配列としても良い。空間解像度の低下を防ぐため、近接する同種類のフィルタの出力から、その間の画素の出力を補間しても良い。
【０１０４】
複数のフィルタ６１〜６３は、RGBフィルタであっても良いし、人間の目の感度である等色関数x(λ)、y(λ)、z(λ)に相当する感度を有するフィルタでも良い。
【０１０５】
二次元色フィルタ部６の他の例として、図１９に示す構成も可能である。即ち、分光透過率が互いに異なる複数（図１９の場合は３個）のフィルタ６４〜６６を円盤６７の円周上に配置し、円盤６７の中心にモータ７の回転軸７１を設置し、モータ７の駆動によって、円盤６７が円周方向に回転するような構成とする。試料１００の被測定部位１００ａからの反射光Ｌ２は当該フィルタ６４〜６７を透過したのち、光電変換素子３に受光されるよう配置する。光電変換素子３は第１フィルタ６４の透過⇒円盤６７の回転⇒第２フィルタ６５の透過⇒円盤６７の回転⇒第３フィルタ６６の透過、のシーケンスで順次受光し、対応する画像データを出力するから、時分割で色情報・分光情報の演算・測定を行うことが可能である。
【０１０６】
なお、複数のフィルタ６４〜６６は、RGBフィルタであっても良いし、人間の目の感度である等色関数x(λ)、y(λ)、z(λ)に相当する感度を有するフィルタでも良い。また半値全幅が１０〜２０ｎｍ程度で、重心波長が１０ｎｍピッチ程度で、異なる複数のバンドパスフィルタを円周上に並べ、モータを回転させて順に透過させることにより、二次元の各画素における分光反射率を測定することも可能である。
（実施形態９）
図２０は、この発明の他の実施形態に係る光学特性測定装置の外観を示す斜視図である。この実施形態では、光学特性測定装置は携行可能なハンディタイプのものに構成されている。
【０１０７】
具体的には、照明用表示装置１、対物レンズ２、光電変換素子３、演算部４、あるいは更に二次元色フィルタ部６が、筐体８内に収容されている。また、筐体８の上面には、携行用の把持部８２が備えられると共に、測定結果を表示するための測定結果表示部５が備えられ、さらに筐体８の下面には、試料１００の被測定部位１００ａに照明光を照射し、被測定部位からの反射光を取り込むための開口８１が形成されている。
【０１０８】
図２０に示す光学特性測定装置は、使用に際して、把持部８２を把持して下面の開口８１を試料１００の被測定部位１００ａに位置させる。そしてこの状態で、筐体８の内部に収容されている照明用表示装置１から照明光を試料１００に照射し、その反射光を光電変換素子３で受光し、光電変換素子３から出力された画像データを用いて演算部５で算出することにより、反射角度特性に依存するパラメータを測定し、測定結果を測定結果表示部５に表示するようになっている。
【０１０９】
このような光学特性測定装置によれば、筐体を持ち運ぶことにより、場所を問わず反射角度特性に依存するパラメータを測定できる。
【０１１０】
本願は、２０１８年９月１４日付で出願された日本国特許出願の特願２０１８−１７２３２７号の優先権主張を伴うものであり、その開示内容は、そのまま本願の一部を構成するものである。
【０１１１】
この明細書に用いられた用語及び表現は、説明のために用いられたものであって限定的に解釈するために用いられたものではなく、ここに示され且つ述べられた特徴事項の如何なる均等物をも排除するものではなく、この発明のクレームされた範囲内における各種変形をも許容するものであると認識されなければならない。
【０１１２】
本発明の図示実施形態をここに記載したが、本発明は、ここに記載した実施形態に限定されるものではなく、この開示に基づいていわゆる当業者によって認識され得る、均等な要素、修正、削除、組み合わせ（例えば、各種実施形態に跨がる特徴の組み合わせ）、改良及び／又は変更を有するありとあらゆる実施形態をも包含するものである。
【産業上の利用可能性】
【０１１３】
本発明は、例えば光輝材と呼ばれるフレーク状のアルミニウム片やマイカ片を含む塗装部位等を被測定部位として、その反射角度特性に依存するパラメータの測定等に利用可能である。
【符号の説明】
【０１１４】
１  照明用表示装置
２  対物レンズ
３  光電変換素子
４  演算部
５  測定結果表示部
６  フィルタ部
８  筐体
８１  開口部
１１  照明用表示
６１〜６６  フィルタ
１００  測定対象物（試料）
１００ａ  被測定部位
１０１  注目部位
１１０  光輝材
１１１  注目光輝材
【図１】
2020054381.tif 000009
【図２】
2020054381.tif 000010
【図３】
2020054381.tif 000011
【図４】
2020054381.tif 000012
【図５】
2020054381.tif 000013
【図６】
2020054381.tif 000014
【図７】
2020054381.tif 000015
【図８】
2020054381.tif 000016
【図９】
2020054381.tif 000017
【図１０】
2020054381.tif 000018
【図１１】
2020054381.tif 000019
【図１２】
2020054381.tif 000020
【図１３】
2020054381.tif 000021
【図１４】
2020054381.tif 000022
【図１５】
2020054381.tif 000023
【図１６】
2020054381.tif 000024
【図１７】
2020054381.tif 000025
【図１８】
2020054381.tif 000026
【図１９】
2020054381.tif 000027
【図２０】
2020054381.tif 000028
【図２１】
2020054381.tif 000029
【図２２】
2020054381.tif 000030
【国際調査報告】
2020054381.tif 000031
2020054381.tif 000032
2020054381.tif 000033
2020054381.tif 000034